(57)【要約】  保管ケース（１２）を備える再利用可能な自蔵型乳児ケアキット（１０）であって、前記ケースは、少なくとも１つの乳児ケア製品、及び少なくとも１つの教育用挿入物、少なくとも１つの乳児ケア製品を保管する一次用途、及び二次用品を保管する二次用途に適している。一実施形態では、二次用途は、乳児関連の記念品を分類するためである。
2008510188.tif 000002
【特許請求の範囲】
【請求項１】
ａ．保管ケースであって、少なくとも１つの乳児ケア製品を保管する一次用途、及び二次用品を保管する二次用途に適した保管ケース、
ｂ．少なくとも１つの乳児ケア製品、及び
ｃ．少なくとも１つの教育用挿入物、
を含むことを特徴とする再利用可能な自蔵型乳児ケアキット。
【請求項２】
該二次用品が乳児関連の記念品である、請求項１に記載のキット。
【請求項３】
該少なくとも１つの乳児ケア製品が、おむつ、拭き取り用品、及びこれらの組み合わせから成る群から選択される、請求項１に記載のキット。
【請求項４】
該乳児ケア製品が、外装によって封入された複数個のおむつである、請求項３に記載のキット。
【請求項５】
該乳児ケア製品が、包装材、又は容器本体と該容器本体を覆うふたとを含む容器によって封入された複数個の拭き取り用品である、請求項３に記載のキット。
【請求項６】
前記教育用挿入物が、該保管ケースの該二次用途について指示を与える二次用途挿入物である、請求項１に記載のキット。
【請求項７】
前記教育用挿入物が、該少なくとも１つの乳児関連の記念品を分類する際に使用するための索引用挿入物である、請求項１に記載のキット。
【請求項８】
前記教育用挿入物が、追加的な乳児ケア情報を得るための指示を与える追加情報用挿入物である、請求項１に記載のキット。
【請求項９】
前記教育用挿入物が、該乳児ケア製品に関連する情報を提供する製品情報用挿入物である、請求項１に記載のキット。
【請求項１０】
前記教育用挿入物が、乳児の発育段階に関連する情報を提供する発育段階用挿入物である、請求項１に記載のキット。
【発明の詳細な説明】
【技術分野】
【０００１】
本発明は、二次用途できるケースを含む自立型乳幼児ケアキットに関するものである。自立型乳幼児ケアキットは、おむつ及び同類の吸収性物品を着用する乳幼児に特に有用である。
【背景技術】
【０００２】
子供の誕生は、多くの場合、親にとって一生の中で最も重要で、喜ばしい瞬間の１つである。子供の誕生によって親が感じるであろう喜びは、多大なストレス及び不安によって抑制されることもある。これは、新生児の世話に必要な技能を持たない、初めて子を持つ親にとっては特に顕著である。親は、食事、衛生、発育など基本的な乳幼児ケアの課題に困惑することが多い。この困惑に輪をかけるのが、宣伝、サンプル、提供、パンフレット、本、テレビ、その他の通信経路などの手段によって受け取る情報の過剰ぶりである。乳幼児ケアに関する親自身の戸惑いと情報過多とが相まって、親は、多くの場合、取得した情報ではなく、必要性に応じて乳幼児ケアに関する決断を下すと考えられる。
【０００３】
乳児用に設計された製品の製造者らは、しばしば、より良好な製品を設計するために、乳児の成長及び発育に関する広範な調査を行う。したがって、これらの製造者らは、乳幼児及び幼児に関する貴重で有用な情報を所持している。この情報には、乳幼児の特徴、発育形態などの課題が含まれていてもよい。乳幼児の成長及び発育に関する広範な調査の見地から、実践的な教育及び忠告を与えてもよい。このような実践的な教育及び忠告には、乳幼児ケア、食事、健康、衛生などに関する助言を含めてもよい。乳幼児製品の製造者にとっての問題は、自身の広範な研究及び見識を親に伝達する方法である。
【０００４】
乳幼児製品の製造者は、親にとって有用で、興味を引き、参考になる方法で自身の広範な情報及び知識を伝達するために、さまざまな戦略を試行してきた。最も一般的に行われている情報の伝達方法の１つは、乳幼児の生活又はケア上の必要性における重要時点で親に情報を提供する方法である。例えば、親は、出産施設滞在中、特に出産のために出産施設に滞在中、新生児ケアに関する情報提供を受けることが多い。しかし、乳幼児ケア製品の製造者から出産施設滞在中の親に提供される情報が多くなるに伴い、親にとってより価値の高い情報が情報過多の中で失われる傾向にある。したがって、乳幼児ケア製品の製造者にとっては、自身の情報、知識、及び製品を、一般的に親に頒布されている情報、知識、及び製品から差別化することは有利なことである。
【０００５】
乳幼児ケア製品の製造者が情報及び製品の伝達に使用する１つの手段は、おむつ、拭き取り用品、処方、軟膏など関連する新生児ケア製品のサンプルを提供することである。おむつ、拭き取り用品などの品目のサンプルは数量が限定されていることが多く、その結果、親が製品を検討して研究する機会は限られている。一般におむつが１つ又は２つ内包されているサンプルパックでは、親がそのおむつ固有の効果を検討することは不可能であると考えられる。更に、初めて子供を持つ親の中には、今回初めておむつをあてる親もいるだろう。これらの親は、おむつの扱いに慣れるまでに何枚ものおむつをあてる必要があるかもしれない。少数のおむつが内包されているサンプルパックでは、十分ではない場合もある。
【０００６】
乳幼児ケア製品の製造者は、親が長期間にわたり情報を使用するように促すような情報の提供に完全に成功してきたわけではない。教育用パンフレット、郵便物、及び小冊子は、捨てられることが多い。マスメディアによる情報の伝達は、忘れられることが多く、必要な情報を容易には検索できない。サンプル製品は使用され、捨てられる。
【発明の開示】
【発明が解決しようとする課題】
【０００７】
本発明は、これらの判明した欠点を考慮して、長期間にわたり親に有益なメッセージを伝え得ることの出来る製品を提供するものである。具体的には、本発明は、例えば乳児関連の記念品など、用品を保管する副次的用途を有する保管ケースの中に含有される乳児ケア製品を親に与えるキットを対象とする。教育情報はまた、保管ケースの中に含有されて、親に指示及びアドバイスを与えてもよい。
【課題を解決するための手段】
【０００８】
本発明は、保管ケースを含む再利用可能な自蔵型乳児ケアキットに関し、ケースは、少なくとも１つの乳児ケア製品を保管する一次用途、及び乳児関連の記念品などの二次用品を保管する二次用途に適している。キットは、保管ケースの中に、少なくとも１つの乳児ケア製品及び／又は少なくとも１つの教育用挿入物を包含してもよい。一実施形態では、キットは、複数個のおむつ及び／又は複数個の拭き取り用品の形態で、乳児ケア製品を包含する。一実施形態では、教育用挿入物は、二次用途挿入物、索引用挿入物、追加情報用挿入物、製品情報用挿入物、発育段階用挿入物、又はそれらの組み合わせであってもよい。
【発明を実施するための最良の形態】
【０００９】
本明細書で使用する用語「吸収性物品」は、体の排泄物を吸収して閉じ込める装置を指し、より詳細には、着用者の体に配置又は体に近接させて配置し、体からの様々な排泄物を吸収して閉じ込める装置を指す。用語「吸収性物品」は、失禁用パンツ、失禁用下着、吸水性インサート、パンツタイプの衣類（例えば、パンツは、一般的に「閉じ型おむつ」、「事前固定型おむつ」、「プルオンおむつ」、「トレーニングパンツ」、「おむつパンツ」も指す）、おむつホルダー、ライナーなどの装置を含む。
【００１０】
本明細書で使用する用語「使い捨て」は、一般的に洗濯することを意図しない、又は吸収性物品として修復もしくは再使用することを意図しない吸収性物品を表す（つまり、１回の使用後に廃棄することを意図し、好ましくはリサイクルするか、堆肥化するか、又は環境に適した方法で廃棄することを意図している）。
【００１１】
本明細書で使用する用語「発育段階」は、各乳幼児の感情面や認知面における成熟レベル、及び／又は身体能力レベルを指し、歩行能力、可動性、運動機能、及び調整能力を含んでいる。
【００１２】
本明細書で使用する用語「乳幼児に関する記念品」は、乳幼児の過去の記念品として保管される任意の品目を意味する。一般に、このような品目は、世話人、より具体的には親が保管する。乳幼児に関する記念品には、写真、出生証明書、手形、足形、衣類、髪の房、病院のリストバンド、世話人のメモ又は感想、長靴、帽子などを含めてもよい。
【００１３】
本明細書で使用する用語「世話人」は、乳幼児に必要なケアの責任を負う個人を指す。一般に世話人は、乳幼児に必要なおむつ交換を担当する個人である。世話人には、親、祖父母、親戚、ベビーシッター、乳母、保育士などが挙げられる。世話人は、本発明のキットと接触する可能性が最も高い人物である。
【００１４】
本明細書で使用する用語「乳幼児」は、１週間に少なくとも１回以上の割合でさまざまな排出物を吸収及び収容する吸水性物品を着用する幼児を指す。用語「乳幼児」は、新生児、早生児、幼児、よちよち歩きの幼児（toddlers）、失禁症状のある子供を挙げてもよい。
【００１５】
本明細書で使用する用語「図柄」は、表示されている又は見えるようになる任意のデザイン、パターンなどを指し、これらは特に、１つ以上の英数字の記号で構成されるテキストメッセージ、１つ以上の絵柄で構成される画像、及びこれらの組み合わせを含む。
【００１６】
図１は、二次用途できる自立型乳幼児ケアキット１０の斜視図である。図１に示されているように、一般にキット１０には、少なくとも１つの乳幼児ケア製品を保管する一次使用と少なくとも１つの二次用途品目を保管する二次用途が行われる保管ケース１２が含まれていてもよい。二次用途品目は、ケース１２に収容されるいずれかの品目にすることができる。二次用途品目は世話人が選択した品目にしてもよいが、二次的に保管される品目に関する提案を行ってもよい。ある実施形態では、キット１０は、１つ以上の乳幼児に関する記念品を保管するという二次用途を有している。キット１０には、解放可能なように保管ケース１２に係合するふた１４が含まれていてもよい。キット１０には、運搬用のハンドル２０が備わっていてもよい。保管ケース１２は、１つ以上の乳幼児ケア製品を一次的に保管し、１つ以上の乳幼児に関する記念品の保管に二次的に使用できる任意の種類の容器でもよい。図２は、図１のキット１０の分解図であるが、ハンドル２０及びふた１４はケース１２から取り外されている。図２は、図１のキット１０を示す分解図である。
【００１７】
図１に示した一実施形態では、ケース１２は、６面体、つまり縦、横、及び奥行きを備え、６つの四辺形面から成る立体として示されている。ケース１２は、４つの側壁３２ａ〜ｄ に接合し、保管ケース１２の内部空間１８（図２に図示）を形成する底壁３０を備えていてもよい。ふた１４によって、保管ケース１２の６番目の面を形成させてもよい。保管ケース１２の寸法が限定されるわけではないが、ケース１２は、少なくとも１つの乳幼児ケア製品、及び二次用途の際に乳幼児に関する記念品を収容するために十分な内部区間１８を備えていてもよい。特定の実施形態において、ケース１２は、乳幼児ケア製品を保管する一次使用において、未使用空間（乳幼児ケア製品によって占有されていない空間）を最小限に抑えるような大きさである。ケース１２の６面体の形及び大きさは、容易なパレチゼーション、運搬、及び移動を実現しつつも、１つ以上の乳幼児ケア製品の保管及び１つ以上の乳幼児に関する記念品の二次収容を可能にする点において有益である。しかし、保管ケース１２の形は、図１のような６面体に限定されないことは容易に認識できる。保管ケース１２は、ケース１２に乳幼児ケア製品及び二次用途時の乳幼児に関する記念品の両方を保管できれば、その他の任意の形でもよい。例えば、ケース１２が五角形の底壁を備える角柱になるように、側壁面が５つ存在していてもよい。
【００１８】
図２に示したように、ケース１２には仕切り１７が１つ以上備えられていてもよい。仕切り１７によって、ケース１２の内部空間１８は更に区画化できるようになる。仕切り１７は、ケース１２と同じ材料で作成してもよい。仕切り１７はケース１２に取り付けてもよい。又は、乳幼児に関する記念品を保管する二次用途のために世話人がケース１２をカスタマイズできるように取り外し可能にしてもよい。仕切り１７は、各乳幼児ケア製品４０が区画内に収容できるように配置してもよい。仕切り１７は、乳幼児に関する記念品を二次的に収容する際に空間を最適化するように配置してもよい。図２に示した実施形態において、仕切り１７は、ケース１２の横及び奥行きのほぼ全体にわたっており、ケース１２をほぼ同じ寸法の２区画に分割している。
【００１９】
保管ケース１２は一次的及び二次的に使用するので、ケース１２は、比較的耐久性のある材料で作成してもよい。このような耐久性のある材料の例としては、板紙、厚紙、波形厚紙、プラスチック、合成材料、その他の十分に耐久性のある剛体材料などが挙げられる。
【００２０】
保管ケース１２には、図柄２６が含まれていてもよく、この図柄２６は、ケース１２の外面に配置するのが理想である。図柄２６は、単色又は複数の色で着色してもよい。図柄２６は、世話人による図柄の個人化を可能にするカスタマイズ可能な図柄でもよい。カスタマイズ可能な図柄には、着色、書き込み、刻印、シールの貼り付けなどの手段によって世話人が変更できる図柄が含まれていてもよい。一実施形態では、カスタマイズ可能な図柄には、世話人が乳幼児の名前、誕生日、誕生時刻、瞳の色、体重、身長などの個人情報を書き込むことができる図柄が含まれていてもよい。
【００２１】
ケース１２は、ふた１４を備えていてもよい。図１に示したように、ふた１４は、底壁３０及び側壁３２ａ〜ｄと共にケース１２の内部空間１８に部分的または完全な物理的境界を提供するように閉じた状態になっている。ふた１４は、ケースの開口部１９から内部空間１８に到達できるように、可逆的に保管ケース１２に係合してもよい。ふた１４には、上面１５及び上面１５から下向きに広がる４つのフランジ１６ａ〜ｄが含まれていてもよい。ふた１４は、閉じた状態では、フランジ１６ａ〜ｄが側壁１６ａ〜ｄに１対１の関係で重なり合うようにケース１２に係合する。上面１６は、実質的に六面体のケース１２の６番目の面として機能してもよい。図２に示したように、ふた１４は開いた状態であり、ケース１２から取り外されている。ふた１４が開いた状態では、ケース１２のケース開口部１９からケース１２の内部空間１８に到達できるようになる。図示したように、ふた１４は、ケース１２から独立した構造でもよい。
【００２２】
別の実施形態では、ふた１４がケース１２に取り付けられるため、ふた１４がケース１２と一体化していてもよい。例えば、ふた１４はケース１２の側壁３２の１つにヒンジで連結してもよい。ヒンジで連結させたふた１４は、切断して六面体に形成させた一体成形の材料からケース１２を作成するなど当該技術分野において周知の任意の方法で提供できる。別の例では、ふた１４は、１つのフランジ１６がふた１４の上面１５にヒンジで連結されるように切断して形成させる。ヒンジで連結されたフランジ１６は、当該技術分野において既知の任意の方法でケース１２の側壁３２に取り付けてもよい。
【００２３】
ふた１４は、ケース開口部１９をほぼ覆う大きさでもよい。ふた１４の寸法が限定されるわけではないが、一般にこのふたは、ケース１２にぴったり合う大きさでもよい。ふた１４は、板紙、厚紙、波形厚紙、プラスチック、合成材料、その他の十分に耐久性のある剛体材料など比較的耐久性のある材料から作成してもよい。一般に、ふた１４は、ケース１２と同一の材料で作成する。本発明の一部の実施形態では、キット１０にふた１４が備わっていなくてもよい。
【００２４】
ふた１４には、ふたの図柄２８が含まれていてもよい。ふたの図柄２８は、単色又は複数の色で着色してもよい。ふたの図柄２８は、世話人によるふたの図柄２８の個人化を可能にするカスタマイズ可能な図柄でもよい。カスタマイズ可能な図柄には、着色、書き込み、刻印、シールの貼り付けなどの手段によって世話人が変更できる図柄が含まれていてもよい。一実施形態では、カスタマイズ可能な図柄には、世話人が乳幼児の名前、誕生日、誕生時刻、瞳の色、体重、身長などの個人情報を書き込むことができる図柄が含まれていてもよい。ふたの図柄２８は、図柄２６と同様の図柄でもよい。
【００２５】
ケース１２及び／又はふた１４には、世話人がケースを開ける及び／又はこのふたを取り外すことなくキット１０の内容物を視認できるようにする窓が含まれてもよい。本説明の範囲において、窓が光を通すことのできる場合、内容物は視認可能であり、観察者はケース１２及び／又はふた１４の内容物を識別できる。この窓は、ケース１２及び／又はふた１４を切り取って形成してもよく、この場合、ケース１２及び／又はふた１４の構成材料は除去または省略するか、取り外し可能なものにする。この窓は、世話人がその内容物を目で識別できるように、ほぼ透明な材料で作成してもよい。好適な透明材料は、低密度ポリエチレン（ＬＤＰＥ）フィルム、ＬＤＰＥ／線状低密度ポリエチレン（ＬＬＤＰＥ）フィルム積層体、ＬＤＰＥ／中密度ポリエチレン（ＭＤＰＥ）フィルム積層体、ＬＤＰＥ／高密度ポリエチレン（ＨＤＰＥ）フィルム積層体などのポリエチレンフィルム又はフィルム積層体でもよい。
【００２６】
ハンドル２０は、世話人によるキット１０の運搬を補助するために装備させてもよい。図２に示したように、ハンドル２０は、ケース１２の少なくとも一部を取り囲むオーバーラップ構造でもよい。ハンドル２０は、図示したようにほぼ方形でもよいが、ハンドルの形が異なってもよい。このハンドルには、２つの遠心面２２、２３が含まれていてもよい。遠心面２２、２３には、世話人の握り場所として機能する開口部２４がそれぞれ含まれていてもよい。ハンドル２０は、ケース１２を取り囲むように配置してもよい。この場合、２つの遠心面２２、２３は、開口部２４の位置が揃うように相互に１対１の関係になるように配置する。ハンドル２０は、取り外し不能又は可能なようにケース２０に取り付けてもよい。例えば、ハンドル２０は、接着剤など当該技術分野において周知の方法でケース１２に取り付けられている別個の構造でもよい。別の実施形態では、ハンドル２０はケース１２と一体化していてもよい。例えば、ハンドル２０は、ケース１２とハンドル２０を成形するために切断して折り畳んだ一体成形の材料からケース１２を形成するプロセスにおいて作成することもできる。ハンドル２０は、板紙、厚紙、波形厚紙、プラスチック、ポリマー被膜などの合成材料、その他の十分に耐久性のある剛体材料などさまざまな材料から作成してもよい。
【００２７】
図３は、本発明のキット１０のある実施形態の分解図であり、ハンドル２０を省いて図２のキット１０の内容物を示している。ケース１２の内部空間１８には、少なくとも１つの乳幼児ケア製品４０（容器４４に収容された複数個の拭き取り用品４２及びおむつ５０など複数個の吸水性物品として図示）が収容されている。ケース１２の内部空間１８には、教育用挿入物６０も収容されている。
【００２８】
キット１０には、少なくとも１つの乳幼児ケア製品４０が含まれている。乳幼児ケア製品４０は、衛生、食事、安全、健康などに関する品目など、主に乳幼児ケアに使用される任意の品目でもよい。乳幼児ケア製品４０には、吸収性物品（例えば、おむつ、パンツなど）、拭き取り用品、パウダー、軟膏、薬剤、ヘアブラシ、瓶、おしゃぶり、洗い布、タオル、清浄薬、石鹸、 乳幼児用石鹸、乳幼児用シャンプー、乳幼児用ローション、スポンジ、よだれ掛け、目薬、鼻吸引器、体温計、おむつ替えパッド、おむつ用ゴミ袋などが含まれていてもよい。キット１０に含まれる乳幼児ケア製品４０は、食事、入浴、おむつ交換、子育てなど特定の乳幼児ケアを対象としてもよいが、異なる目的の乳幼児ケア製品４０を混在させることもできる。例えば、おむつ交換を対象とする乳幼児ケア製品４０にはおむつ、拭き取り製品、おむつかぶれ用軟膏、手の洗浄剤、おむつ替えパッド、おむつ用ゴミ袋などを含めることができる。図３に示したある実施形態では、乳幼児ケア製品４０には、拭き取り用品４２及びおむつ５０が含まれている。
【００２９】
キット１０には、使い捨ておむつ５０など１つ以上の吸水性物品が含まれていてもよい。おむつ５０及び同類の使い捨て吸収性物品は、当該技術分野において周知である。代表的なおむつの構造は、米国特許第３，８６０，００３号、同４，６３６，２０７号、同４，６９５，２７８号、同４，７０４，１１５号、同４，７９５，４５４号、同４，９００，３１７号、同４，９０９，８０３号（ＵＳＲＥ３４９２０号として再発行）、同５，０８５，６５４号、同５，４９２，７５１号、同６，４７６，２８８号、及びＳＩＲ  Ｈ１６３０号に詳述されている。代表的なパンツの構造は、米国特許第５，２４６，４３３号、同５，５６９，２３４号、同６，１２０，４８７号、同６，１２０，４８９号、同４，９４０，４６４号、同５，０９２，８６１号、５，８９７，５４５号、同５，９５７，９０８号、及び米国特許出願第１０／１７１，２４９号に公開されている。
【００３０】
一実施形態では、キット１０には、おむつ５０が１つ以上含まれていてもよい。別の実施形態では、キット１０には、おむつ５０が１０個以上含まれていてもよい。キット１０には、おむつ５０が２０個以上含まれていてもよい。世話人が長期にわたりおむつ５０の在庫を保持できるように、キット１０にはおむつ５０が十分な数含まれているのが好ましい。長期にわたる在庫の保持とは、おむつ５０を数日間使用できるように十分な数のおむつ５０が手元にあることを意味する。十分な数のおむつ５０を世話人に提供することによって、世話人は自身の体験によって学ぶことができる。つまり、世話人は、おむつ５０を複数入手して使用することによって、おむつ５０に固有の特徴を学ぶことができる。更に、十分な数のおむつを提供することによって、世話人は、さまざまな着用条件におけるおむつ５０の性能について学ぶ。例えば、交換頻度の少ない夜間の着用では、おむつ５０に多量の排泄物が排泄されることが多い。日中の着用では、乳幼児の行動及び動作に伴っておむつ５０が受ける圧力は増す。十分な数のおむつ５０を提供することによって、世話人は、このようにさまざまな着用条件におけるおむつの性能特性について学習すると考えられる。
【００３１】
キット１０に含まれるおむつ５０は、任意の大きさの乳幼児向けのおむつでもよい。さまざまな大きさのおむつ５０をキット１０に含ませて提供してもよい。通常、おむつ５０の大きさは、乳幼児の体重に基づいている。代表的な大きさの範囲は、０〜４．５ｋｇ（０〜１０ポンド）、４〜６ｋｇ（８〜１４ポンド）、５〜８ｋｇ（１２〜１８ポンド）、７〜１３ｋｇ（１６〜２８ポンド）、１０〜１７ｋｇ（２２〜３７ポンド）、１２ｋｇ以上（２７ポンド以上）、及び１６ｋｇ以上（３５ポンド以上）などである。このような範囲は、それぞれ新生児、サイズ１、サイズ２、サイズ３、サイズ４、サイズ５、及びサイズ６と定性的に分類できる。このような範囲は、通常、乳幼児に最適なおむつを親に示す指針として提供され、特定の体重の乳幼児は、前記乳幼児の体重ではない大きさの範囲のおむつを着用してもよい。本発明の一実施形態では、キット１０には新生児サイズのおむつが含まれている。このように新生児用おむつ５０が含まれているキット１０は、新生児を持つ世話人に有益であると考えられる。
【００３２】
おむつ５０は自立型ユニットとして包装してもよい。この自立型ユニットは、運搬及び取り扱いを容易にするために相互に隣接する複数個のおむつ５０である。一実施形態では、自立型ユニットは、一団となって隣接する多数のおむつ５０であり、これらのおむつは、１９９９年８月１０日にバウアー（Bauer）らに発行された米国特許第５，９３４，４７０号に公開されている熱可塑性フィルムの上包で覆われている。自立型ユニットを実現するその他の手段は、明確に想定される。例えば、この上包にはさまざまな材料が使用され、その材料としては熱可塑性フィルム、不織布、織布、ホイル、布地、紙、厚紙、ゴムひも、ひも、革ひも、これらの組み合わせなどが挙げられるが、これらに限定されない。この上包は、完全に又は部分的に複数個のおむつ５０を縛る及び／又は覆うなどしてもよい。その他の好適な包装及び包装方法は、１９９１年９月２４日にＤ．Ｒ．マッケンフ（D.R. Muckenfuhs）に発行された米国特許第５，０５０，７４２号、及び１９９１年１０月８日にＤ．Ｒ．マッケンフ（D.R. Muckenfuhs）に発行された米国特許第５，０５４，６１９号に公開されている。更に、この自立型ユニットには、多数の上包が含まれていてもよい。例えば、複数個のおむつ５０を熱可塑性フィルムの上包で包装し、更にこのフィルムで包まれた複数個のおむつを厚紙の箱又は第２の熱可塑性フィルムの上包で包装してもよい。
【００３３】
前記上包には、世話人が上包を開いたり破いたりしなくても上包内のおむつ５０を視覚的に確認できるようにする窓が備わっていてもよい。本説明の範囲において、窓が光を通すことのできる場合、おむつ５０は視認可能であり、観察者は上包の内容物を識別できる。この窓は上包を切り取って形成してもよく、上包の構成材料は除去または省略するか、取り外し可能なものにする。窓は、世話人が上包内のおむつ５０を目で識別できるように、ほぼ透明な材料で作成してもよい。好適な透明材料は、低密度ポリエチレン（ＬＤＰＥ）フィルム、ＬＤＰＥ／線状低密度ポリエチレン（ＬＬＤＰＥ）フィルム積層体、ＬＤＰＥ／中密度ポリエチレン（ＭＤＰＥ）フィルム積層体、ＬＤＰＥ／高密度ポリエチレン（ＨＤＰＥ）フィルム積層体などのポリエチレンフィルム又はフィルム積層体でもよい。一実施形態では、上包の窓は、世話人がケース１２、ふた１４及び／又は上包を開けずにおむつ５０を識別できるように、ケース１２及び／又はふた１４の窓に近接させて配置する。
【００３４】
別の実施形態では、自立型ユニットには、おむつ５０に到達できる開口手段が含まれていてもよい。キット１０は、物品に到達できるように活性化（例えば、蓋を開ける、パネルの除去など）が必要な場合がある。典型的な開口手段としては、熱可塑性フィルムの上包内の実質的に連続する脆弱線（穿孔など）が挙げられる。代表的な開口手段は、米国特許出願第５，０３６，９７８号（フランク（Frank）ら、１９９１年８月６日発行）に提示されている。この自立型ユニットには、専用開口部又は切断手段が備わっていなくてもよい。例えば、穿孔が備わっていない熱可塑性フィルムの上包では、このフィルムを破ることによっておむつ５０に到達できる。
【００３５】
キット１０には、拭き取り用品４２が１つ以上含まれていてもよい。拭き取り用品４２は当該技術分野において周知であり、ウェットタオル、ドライタオル、ウェットティッシュ、ペーパータオルなどと呼ばれることもある。拭き取り用品４２は、一般に、排便又は排尿後の肛門、会陰、肛門周囲、会陰部、及び外性器の洗浄に使用する。拭き取り用品４２は、おむつ交換時の洗浄に有用であり、頻繁に使用されている。拭き取り用品４２は、液体又は半液体の組成物を染み込ませた材料で作成してもよい。拭き取り用品４２の材料は、一般に柔らかく、柔軟性に富む。材料は、吸収力及び洗浄力を向上させるために比較的肌触りの良い厚い材料、キャリパー、体積が大きくてもよい。拭き取り用品に染み込ませた液体又は半液体の組成物は、洗浄力、肌触り、及び／又は皮膚の状態を向上できる。代表的な拭き取り用品の構造は、米国特許第４，７３２，７９７号、同４，７４１，９４４号、同４，７７２，５０１号、同４，８６５，２２１号、同４，９０４，５２４号、同５，６２９，０８１号、同５，６４８，０８３号、同５，８６３，６６３号、同５，８７１，７６３号、同６，０６０，１４９号、同６，０８３，８５４号、同６，６２３，８３４号、及び同６，７３３，７７３号に詳述されている。代表的な拭き取り用品の構造は、２００４年７月１日にＧ．Ｅ．デックナー（G.E. Deckner）らが申請した米国特許申請第１０／８８３３１４号、名称「肌に優しく、洗浄効果を向上したウェットタオルの組成物（Composition for Wet Wipes that Enhances the Efficacy of Cleansing While Being Gentle to the Skin）」にも詳述されている。
【００３６】
一実施形態では、キット１０には、拭き取り用品４２が２つ以上含まれていてもよい。キット１０には、拭き取り用品４２が２０以上含まれていてもよい。別の実施形態では、キット１０には、拭き取り用品４２が４０以上含まれていてもよい。世話人が長期にわたり拭き取り用品４２の在庫を保持できるように、キット１０には拭き取り用品４２が十分な数含まれているのが好ましい。長期にわたる在庫の保持とは、拭き取り用品４２を数日間使用できるように十分な数の拭き取り用品４２が提供されていることを意味する。製品の在庫保持期間が長くなると、この製品に対する世話人の理解が深まると考えられる。十分な数の拭き取り用品４２を世話人に提供することによって、世話人は自身の体験によって学ぶことができる。つまり、世話人は、拭き取り用品４２を複数入手して使用することによって、拭き取り用品４２に固有な特徴を学ぶことができる。
【００３７】
拭き取り用品４２は、容器４４に収容してもよい。容器４４は、取り扱い及び運搬を容易にするために拭き取り用品４２の収容手段を提供する。拭き取り用品４２を容器４４に収容すると、この拭き取り用品に染み込ませた液体又は半液体の組成物の蒸発、またはこの拭き取り用品からの解離も防ぐ。容器４４は、剛体材料又は可撓性材料で作成してもよい。一実施形態では、容器４４は、任意の好適なプラスチック材料で作製する。好適なプラスチックは、ポリプロピレン、ポリエチレン、ポリスチレン、アクリロニトリルブタジエンスチレン、ポリエステル、ポリ塩化ビニル、ポリカーボネート、高密度ポリエチレンなどである。
【００３８】
容器４４は、立法体、直方体、円柱など任意の形でもよい。一実施形態では、容器４４は直方体であり、本体及びふたによって構成させてもよい。容器本体４６は、１つ以上の拭き取り用品４２を収容し、容器の開口部となる内部空間を形成してもよい。この容器の開口部によって、世話人は拭き取り用品４２に到達できる。容器４４には、更に容器のふた４８が含まれていてもよい。容器のふた４８は、通常、容器本体４６の上に配置し、糸、スナップ式接続金具、接続用肋材、摩擦係合、接着剤などの手段によって取り付けてもよい。容器のふた４８は、米国特許第６，０９２，６９０号などに示されているヒンジ構造によって容器本体４６に取り付けてもよい。容器のふた４８は、閉じた状態で、容器の開口部を覆う及び／又は封止するように容器本体４６に係合してもよい。ただし、容器のふた４８は、容器本体４６から取り外し可能でもよい。容器４４は、水分不透過性封止部を形成し、それにより容器本体４６内に収容された拭き取り用品４２の乾燥を防いでもよい。代表的な容器は、米国特許第６，５２３，６９０号；第６，５５０，６３４号；第６，２６９，９７０号；及び第５，５３１，３２５号に更に記載されている。容器のふた４８は、容器４２（詰め替え可能容器）に２番目の複数個の拭き取り用品を入れられる大きさでもよい。
【００３９】
拭き取り用品４２は、包装紙で包んでもよい。この包装紙は、ポリマーフィルム、金属箔などの水分不透過の可撓性材料で作成してもよい。包装紙に包まれている拭き取り用品４２は一般に、硬質容器の補充用として使用する。しかし、包装紙には、１つ以上の拭き取り製品４２に到達し、除去できる再密閉可能な分配手段が備わっていてもよい。代表的な再密閉可能な分配手段を備えた非硬質容器は、米国特許第６，６０４，６５１号、同４，１８５，７５４号、同３，９８２，６５９号、及び欧州特許出願第ＥＰ０７４４３５７Ａ１号、名称「可撓性な小袋及び再利用可能な分配装置を含む組織の包装（Package for tissues comprising a flexible pouch and a re-usable dispensing device）」に説明されている。
【００４０】
包装紙には、世話人が包装紙を開いたり破いたりしなくても包装紙内の拭き取り用品４２を視認できるようにする窓が備わっていてもよい。本説明の範囲において、窓が光を通すことのできる場合、拭き取り用品４２は視認可能であり、観察者は包装紙の内容物を識別できる。この窓は、世話人が包装紙内の拭き取り用品４２を目で識別できるように、ほぼ透明な材料で作成してもよい。好適な透明材料は、低密度ポリエチレン（ＬＤＰＥ）フィルム、ＬＤＰＥ／線状低密度ポリエチレン（ＬＬＤＰＥ）フィルム積層体、ＬＤＰＥ／中密度ポリエチレン（ＭＤＰＥ）フィルム積層体、ＬＤＰＥ／高密度ポリエチレン（ＨＤＰＥ）フィルム積層体などのポリエチレンフィルム又はフィルム積層体でもよい。一実施形態では、包装紙の窓は、世話人がケース１２、ふた１４及び／又は包装紙を開けずに拭き取り用品４２を識別できるように、ケース１２及び／又はふた１４の窓に近接させて配置する。
【００４１】
ケース１２には、１つ以上の教育用挿入物６０が含まれていてもよい。教育用挿入物６０は、情報、説明、ヒント、忠告、使用法、指導、指針、または助言を提供する、またはこれらの提供を申し出るものでもよい。これらの挿入物は、パンフレット、メモカード、小冊子、雑誌、ＣＤ、ＤＶＤ、コンピュータで読み込み可能なＣＤなどのオーディオ形式などさまざまな形式でもよい。一実施形態では、教育用挿入物６０は、上表紙またはカード用紙の形式のカードであり、関連情報が印刷されていてもよい。これらのカードは、１つ以上の側面は曲線状であるが、ほぼ方形でもよい。カードは任意の寸法でもよいが、好適な寸法は、約１５．２ｃｍ（６インチ）×１０．２ｃｍ（４インチ）である。教育用挿入物６０は、少なくともケース１２に乳幼児ケア製品４０を保管する一次使用の間は、複数個の教育用挿入物６０をまとめて保管できる封筒６２またはその他同様の構造物に保管させてもよい。
【００４２】
教育用挿入物６０の１つは、ケース１２に乳幼児に関する記念品など二次用途品目を保管する二次用途に関する説明を提供する二次用途挿入物でもよい。この二次用途挿入物によって、ケース１２には１つ以上の乳幼児ケア製品４０を保管し収容する以外の二次用途方法があることを世話人に伝えてもよい。この二次用途挿入物によって、写真、出生証明書、手形、足形、衣類、髪の房、病院のリストバンド、世話人のメモ又は感想、長靴、帽子など世話人が保存しておく必要のある記念品のアイデアを提供してもよい。この二次用途挿入物によって、乳幼児に関する記念品をより効率的に保管できるようにケースを再構成する方法を世話人に教えてもよい。二次用途挿入物によって、ケースを使用した効率的な整理方法、管理方法、及び保存方法についての指示もまた提供してよい。例えば、二次用途挿入物によって、記念品を区分けできるように１つ以上の仕切りをケースに配置するように指示してもよい。二次用途挿入物によって、記念品の分類方法として索引挿入物を使用するように世話人に指示してもよい。索引挿入物には、標準的な乳幼児関連の分類記述子（例えば、「誕生〜１ヶ月」、「新生児」、「乳幼児」、「よちよち歩きの幼児」など、また「１月」、「２月」など）及び／又は世話人がカスタマイズするための空の領域が含まれていてもよい。一実施形態では、索引挿入物にテキストが全く含まれない、又はほとんど含まれないこともある。このような実施形態では、検索挿入物によって、世話人のカスタマイズ専用領域を提供してもよい。例えば、この索引挿入物によって、世話人特有の乳幼児関連の分類記述子を挿入できる専用領域を提供してもよい。更に、この索引挿入物によって、世話人が索引挿入物に従って保管した乳幼児に関する記念品一覧を作成できる専用領域を提供してもよい。このような索引挿入物は、記念品の整理を助ける。
【００４３】
教育用挿入物６０の１つは、１つ以上の乳幼児の発育段階に関する情報を提供する発育段階挿入物でもよい。これらの発育段階とは、歩行能力、可動性、運動機能、協調性を含む各乳幼児の感情面や認知面における成熟度レベル、及び／又は身体能力レベルを指す。これらの発育段階は、乳幼児の発育の広い範囲を対象としてもよい。代表的な範囲は、新生児から活発なよちよち歩きの幼児までであり、歩行前、発見、探検、学習、及び訓練の５段階を含む。第１発育段階は、歩行前の時期に該当し、世話人との信頼を作る段階にある新生児、及びその行動のレベルが頭を起こす又は寝返りを打つのと大差ないその他の動けない幼児を含む。第２発育段階は、這う時期を含む発見段階に該当し、座るという形での行動並びに突進する、転がる及び這うという形での可動性が発達中である好奇心の強いよちよち歩きの幼児を含む。第３発育段階は、歩行時期を含む探検段階に該当してもよく、その行動のレベルとして立つ、歩く及び走り始めることが挙げられるよちよち歩きの幼児（toddlers）を包含する。第４発育段階は、学習の時期に該当してもよく、衣服を着ることなどは自分ででき、且つバランスを失わずに歩いたり、走ったりすることを可能にする協調が発達中であるよちよち歩きの幼児（toddlers）を包含する。この第５段階は訓練段階に該当し、排泄のしつけを受け、自立及び全体性を達成することを試み、乳幼児から子供への変わり目にあるよちよち歩きの幼児を含む。明らかに、他の段階も考慮されている。例えば、他の段階は重なり合ってもよい。又は、前述の段階の一部でもよい。乳幼児の発育段階に関する更なる情報は、米国特許番号第６，６４８，８６４号に記載されている。発育段階は、他の乳幼児の段階にわたる又は他の乳幼児の段階を含んでもよく、年齢による範囲、体重による範囲、大きさによる範囲などが挙げられるが、これらに限定されない。
【００４４】
乳幼児の発育段階に関する情報には、発育に関する見識、乳幼児ケアに関する助言、及び実用的な忠告を含めてもよい。発育に関する見識には、乳幼児の身体的発育、行動的発育、認知的発育、及び／又は精神的発育に関する情報を含めてもよい。例えば、発育に関する見識には、各発育段階において乳幼児に期待できる身体的特徴、乳幼児の精神的発育を前提としてより効果的なコミュニケーションを行うための忠告、及び乳幼児の行動に対する反応方法を説明する情報を含めてもよい。乳幼児ケアに関する助言には、食事、睡眠、健康、おむつ、スキンケア、及び同類の乳幼児ケアに関する課題に関する情報を含めてもよい。代表的な乳幼児ケアに関する助言は、各発育段階の乳幼児に適切な食事に関する忠告である。実用的な忠告は、発育段階に関する他の多種多様な忠告を含んでもよいが、これらは世話人の責任及び行動に関するものが多い。例えば、歩行前の発育段階に適切な実用的な忠告には、乳幼児の初めての肖像写真セッションへの世話人の対処方法に関する情報を含めてもよい。その他の実用的な忠告には、調理法／食事の例、ストレス解消に関する忠告、及び休日の過ごし方などの課題を含めてもよい。
【００４５】
教育用挿入物６０の１つは、製品情報挿入物でもよい。この製品情報挿入物によって、ケースに当初保管されていた乳幼児ケア製品４０に関する情報を提供してもよい。この製品情報には、乳幼児ケア製品４０の構造、設計、材料、効果、及びその他の特徴に関する情報を含めてもよい。この製品情報によって、乳幼児ケア製品４０の１以上の技術的効果を説明してもよい。例えば、技術的効果には、おむつの着用適合性の向上、拭き取り用品の洗浄力の向上、又はよだれ掛けの吸水性の向上に関する情報を含めてもよい。この製品情報によって、乳幼児ケア製品４０に関する好意的な情報を提供してもよい。このような情報には、１つ以上の個人又は個人のグループ（例えば「小児科医推薦（The Pediatricians’ Choice）」など）がこの製品を気に入っている、推奨している、選択している、又は購入しているという趣旨の記述を含めてもよい。
【００４６】
製品情報には、キット１０またはケース１２に当初備えられていなかった他の乳幼児ケア製品に関する情報を含めてもよい。例えば、複数個の拭き取り用品及び複数個のおむつを当初保管していたケースには、軟膏、パウダー、瓶、おむつ替えパッドなどの関連製品に関する製品情報を含めてもよい。一般に、当初キット１０に備えられていた乳幼児ケア製品とキット１０に備えられていなかった他の乳幼児ケア製品に関する情報の両方を、同一の事業体（例えば、個人、企業、グループ、組合など）がすべて製造、流通、及び／又は販売している。この製品情報は、上記に開示されたように乳幼児の発育段階にとって重要な場合がある。
【００４７】
教育用挿入物６０の１つは、追加情報挿入物でもよい。この追加情報挿入物は、追加の乳幼児ケア情報を取得する手段を提供するものである。この追加情報挿入物は、追加情報の取得方法に関する指示を提供するものである。指示は、葉書に記入して投函するというものでもよい。指示は、ワールドワイドウェブのサイトを閲覧する、又は電話番号に電話するというものでもよい。追加情報は、手紙、電話、電子メール、又はワールドワイドウェブページで世話人に提供してもよい。追加の乳幼児ケア情報は、ケースの二次用途、乳幼児の発育段階、及び／又は製品情報に関する情報でもよい。追加の乳幼児情報には、販売促進目的での製品提供、追加サンプル、クーポン、割引などを含めてもよい。
【００４８】
図４には、本発明のある実施形態が示されており、ふたが取り外された状態のケース１２は、１つ以上の乳幼児に関する記念品の保管という二次用途目的で使用されている。ケース１２は、複数個の写真７０の保管に使用してもよい。仕切り１７は、写真７０の保管空間を最大化するように配置してもよい。図示したように、仕切り１７は、一般的な写真の印画の大きさを保管できるように、それぞれ幅約１５．２ｃｍ（６インチ）、奥行き約１０．２ｃｍ（４インチ）の２区画にケースを分割してもよい。１つ以上の教育用挿入物６０は、写真７０を整理するために使用してもよい。例えば、前記索引挿入物は、索引挿入物に印刷されている又は世話人が索引挿入物に記入した標準的な乳幼児関連の分類記述子（例えば、０〜３ヶ月、３〜６ヶ月など）に従った写真７０の整理に使用してもよい。発育段階挿入物などその他の教育用挿入物６０は、写真と共に保管してもよい。この発育段階挿入物は、特定の発育段階に該当する索引挿入物及び／又は写真と共に配置してもよい。例えば、歩行前の段階を対象とする発育段階挿入物は、この歩行前の段階に関連する索引挿入物及び写真と共に整理してもよい。このような整理を行うと、世話人が必要とする時に、発育段階挿入物によって提供される発育段階に関する情報をすぐに参照できるようになる。
【００４９】
別の実施形態では、本発明のキット１０は、上記の本発明の開示に従って準備してもよい。キット１０は、世話人がキット１０を使用し、キット１０に触れる機会を得られるように世話人に提供してもよい。より具体的には、世話人には、収容されている乳幼児ケア製品４０を使用する機会を提供する必要がある。一実施形態では、キット１０には、標準的な使用パターンで少なくとも２４時間使用するのに十分な数の乳幼児ケア製品４０が備わっている。更に、世話人には、ケースに収容されている教育用挿入物及び／又はケース自体と接触する機会を提供する必要がある。ケースと接触する機会には、少なくとも１つの乳幼児に関する記念品を保管するという二次用途目的に従って世話人がケースを使用できることが含まれている。
【００５０】
キット１０は、任意の時点で世話人に提供してもよいが、好ましくは、キット１０によって提供される乳幼児ケア製品４０に最適な乳幼児の発育時点で世話人に提供する。例えば、キット１０に新生児用の大きさのおむつ５０が複数個含まれている場合、キット１０は、新生児の誕生に近い時点で世話人に提供してもよい。母親の大多数はケア施設（例えば病院、女性センター、出産センター）で出産するので、新生児用の大きさのおむつ５０を含むキット１０は、母親又は乳幼児が施設に滞在している間に、母親、父親、又はその他の世話人に提供してもよい。キット１０は、乳幼児の誕生に近い任意の時点で世話人に提供してもよい。
【実施例】
【００５１】
好ましい自立型乳幼児ケアキットは、写真箱として再利用可能なケースを備えた新生児ケアキットでもよい。このケースは板紙で作成されたケースで、寸法が約３２．３９ｃｍ×２２．８６ｃｍ×１０．８０ｃｍ（１２．７５インチ×９インチ×４．２５インチ）（縦×横×奥行き）でもよい。ケースは、５つの方形面（１つの底壁と４つの側壁）を備えていてもよい。６番目の面は板紙で作成されたふたで、寸法が約３３．０２ｃｍ×２３．５０ｃｍ×５．７２ｃｍ（１３インチ×９．２５インチ×２．２５インチ）（縦×横×奥行き）でもよい。ふたは、上面及び上面から下向きに広がる４つのフランジを備えていてもよい。閉じた状態では、ふたは、フランジが側壁に１対１の関係で重なり合うようにケースに係合してもよい。ケース及びふたは、ケースの１面に沿ってハンドルを提供する板紙の重なりで囲まれていてもよい。ケースは、仕切りによって体積がほぼ等しい２区画に分割されていてもよい。仕切りは、ケースの幅及び奥行きのほぼ全体にわたる大きさでもよい。仕切りによって形成される区画は、標準的な大きさのスナップ写真を２列収容できる大きさ（例えば、１０．１６ｃｍ×１５．２４ｃｍ（４インチ×６インチ）又は８.８９ｃｍ×１２．７０ｃｍ（３．５インチ×５インチ））でもよい。
【００５２】
ケースの一次使用時には、一方の区画に約８０個の拭き取り用品を保管する再利用可能容器を備えていてもよい。好適な拭き取り用品の容器は、オハイオ州シンシナティのプロクターアンドギャンブル社（Procter & Gamble Company）から販売されているパンパースラベンダー（Pampers Lavender）（商標） 乳幼児拭き取り用品（Baby Wipes）でもよい。このケースの一次使用時には、もう一方の区画は、複数個のおむつを保管してもよい。好適な複数個のおむつは、オハイオ州シンシナティのプロクターアンドギャンブル社（Procter & Gamble Company）から販売されているパンパース新生児スワドラース（Pampers Newborn Swaddlers）（２０個入り）でもよい。このケースは、移動時及び保管時におむつ及び拭き取り製品があまり動かないようにし、隙間を埋めるために、効果的な量の装飾用紙片、毛羽、又は梱包材を含んでもよい。
【００５３】
ケースには、多数の教育用挿入物を収容する封筒を更に含めてもよい。１つ以上の挿入物によって、ケースを写真箱として二次的に使用する方法について世話人に指示してもよい。この挿入物によって、区画内での写真の向き、１つ以上の索引挿入物及び／又は乳幼児の発育段階挿入物を写真の区切りとして使用する方法を説明してもよい。１つ以上の挿入物は、世話人がカスタマイズできる索引挿入物でもよい。１つ以上の挿入物は、乳幼児の発育段階挿入物でもよい。少なくとも１つの挿入物は、乳幼児の各発育段階（歩行前、発見、探検、学習、及び訓練）を対象としたものでもよい。ケースには、世話人が返信できる葉書形式の追加情報挿入物を含めてもよい。この追加情報挿入物によって、追加情報を取得できる通話料無料の電話番号及び／又はワールドワイドウェブのアドレスを提供してもよい。ケースには、ケースに収容されている拭き取り製品及びおむつについて説明する製品情報を含めてもよい。
【００５４】
ケースは、母親の陣痛発生時前後の任意の時点で新生児の母親及び／又は父親に提供してもよい。ケースは、母親又は新生児が出産施設に滞在中、又はこの施設から退出する時点に提供してもよい。
【００５５】
「発明を実施するための最良の形態」で引用したすべての文献は、関連部分において本明細書に参考として組み込まれているが、いずれの文献の引用も、それが本発明に対する先行技術であるとの容認と見なすべきではない。
【００５６】
本発明の特定の実施形態及び／又は個々の特徴について図示し説明したが、本発明の精神及び範囲から逸脱することなく、他の様々な変更及び修正を実施できることが当業者には明白であろう。したがって、本発明の範囲内にあるそのようなすべての変更及び修正を、添付の特許請求の範囲で扱うものとする。
【図面の簡単な説明】
【００５７】
【図１】運搬時の自立型乳幼児ケアキットの一実施形態の斜視図。
【図２】使用時の自立型乳幼児ケアキットの一実施形態の分解図。
【図３】自立型乳幼児ケアキットの一実施形態の分解図であり、この一実施形態の内容物を示している。
【図４】写真箱として二次用途されている、ケースの一実施形態の斜視図。
【図１】
2008510188.tif 000003
【図２】
2008510188.tif 000004
【図３】
2008510188.tif 000005
【図４】
2008510188.tif 000006
【国際調査報告】
2008510188.tif 000007
2008510188.tif 000008
2008510188.tif 000009